(57)【要約】【解決手段】本発明は、第１印刷回路基板（１）を第２印刷回路基板（２）に接続するため、内部導体（３）、外部導体（４）及び誘電体（５）を具備する同軸コネクタ（１００）に関する。相互接続される２枚の印刷回路基板（１，２）間の距離が小さくなるように上述のタイプのコネクタ（１００）を改善するために、内部導体（３）、外部導体（４）及び誘電体（５）は圧縮可能である。
2009502014.tif 000002
【特許請求の範囲】
【請求項１】
第１印刷回路基板を第２印刷回路基板に接続するために、内部導体、外部導体及び誘電体を具備する同軸コネクタにおいて、
前記内部導体、前記外部導体及び前記誘電体は、圧縮可能であることを特徴とする同軸コネクタ。
【請求項２】
前記内部導体、前記外部導体及び前記誘電体は、エラストマ製であることを特徴とする請求項１記載の同軸コネクタ。
【請求項３】
前記内部導体及び前記外部導体は導電性エラストマ製であり、
前記誘電体は絶縁性エラストマ製であることを特徴とする請求項１又は２記載の同軸コネクタ。
【請求項４】
前記内部導体、前記外部導体及び前記誘電体は、一体の弾性ブロックとして構成されていることを特徴とする請求項１ないし３のうちいずれか１項記載の同軸コネクタ。
【請求項５】
前記一体の弾性ブロックは、前記内部導体から絶縁された少なくとも１個の外層を有することを特徴とする請求項４記載の同軸コネクタ。
【請求項６】
前記一体の弾性ブロックは、ほぼ立方体であることを特徴とする請求項４又は５記載の同軸コネクタ。
【請求項７】
前記一体の弾性ブロックは、該一体の弾性ブロックの２側面に配置された少なくとも２枚の導電板を具備することを特徴とする請求項４ないし６のうちいずれか１項記載の同軸コネクタ。
【請求項８】
前記少なくとも２枚の導電板は、互いにほぼ平行に配置されていることを特徴とする請求項７記載の同軸コネクタ。
【請求項９】
前記少なくとも２枚の導電板は、組立状態において、前記第１印刷回路基板を前記第２印刷回路基板に接続するよう構成されていることを特徴とする請求項７又は８記載の同軸コネクタ。
【請求項１０】
前記誘電体は、少なくとも２枚の導電板間に配置されていることを特徴とする請求項７ないし９のうちいずれか１項記載の同軸コネクタ。
【請求項１１】
前記内部導体は前記誘電体を貫通し、組立状態において、前記第１印刷回路基板を前記第２印刷回路基板に接続するよう構成されていることを特徴とする請求項１ないし１０のうちいずれか１項記載の同軸コネクタ。
【請求項１２】
前記一体の弾性ブロックを取り囲むと共に該一体の弾性ブロックに導電接続される中空導体を具備することを特徴とする請求項４ないし１１のうちいずれか１項記載の同軸コネクタ。
【請求項１３】
前記中空導体は、前記第１印刷回路基板に半田付け可能であることを特徴とする請求項１２記載の同軸コネクタ。
【請求項１４】
前記中空導体は、前記一体の弾性ブロックを導入するための円錐状内面を有することを特徴とする請求項１２又は１３記載の同軸コネクタ。
【請求項１５】
前記中空導体は、前記第２印刷回路基板上に組み立てられたスリーブに接続可能であることを特徴とする請求項１２ないし１４のうちいずれか１項記載の同軸コネクタ。
【請求項１６】
前記中空導体は、前記スリーブに配置された少なくとも１個のラッチ突起にロック可能である少なくとも１個のラッチ凹部を有することを特徴とする請求項１５記載の同軸コネクタ。
【請求項１７】
前記中空導体は、ケーブルプラグに接続可能であることを特徴とする請求項１２ないし１６のうちいずれか１項記載の同軸コネクタ。
【請求項１８】
前記中空導体は、前記ケーブルプラグに配置された少なくとも１個のラッチ突起にロック可能である少なくとも１個のラッチ凹部を有することを特徴とする請求項１７記載の同軸コネクタ。
【発明の詳細な説明】
【技術分野】
【０００１】
本発明は、第１印刷回路基板を第２印刷回路基板に接続するため、内部導体、外部導体及び誘電体を具備する同軸コネクタに関する。
【背景技術】
【０００２】
例えば携帯電話等の携帯電子デバイスの小型化要求に対する需要が増大している。現在、携帯電子デバイスは、小さな設計でありながら増大する機能を提供する。携帯電子デバイスの小型化は、電子部品がより小さく設計され、これらの電子部品により占有される印刷回路基板上の空間がより効率的に使用される結果となる。このため、電子部品は占有空間が可能な限り小さいが、電子部品を有する印刷回路基板間の距離を可能な限り短く保つように、印刷回路基板を設計することが重要である。
【０００３】
携帯電話において、電子部品を具備する印刷回路基板間を高周波信号が伝送される。このような高周波信号の伝送は通常、同軸高周波コネクタにより行われる。この種の同軸コネクタは、２枚の印刷回路基板間を接続すると共に、この理由のため、「ボード・ツー・ボードコネクタ」とも称されることがある。この種のコネクタの機能は、可能な限り干渉がない状態で２枚の印刷回路基板間に高周波電気信号を伝送することである。２枚の印刷回路基板を相互接続するこのような同軸コネクタは、高周波での良好な電気特性を有すると同時に、増大する小さな携帯電子デバイスの構成を可能にするために小さな形状であることが理想的である。
【０００４】
従って、本発明は、２枚の印刷回路基板間の距離を小さくすることができると同時に、可能な限り堅牢で擾乱のない電気接続が確保されるように、上述したタイプの電子デバイスの２枚の回路基板を相互接続するための一般的な同軸コネクタを改善することを目的とする。
【発明の開示】
【課題を解決するための手段】
【０００５】
本発明によれば、上述の目的は、請求項１の特徴を有する同軸コネクタにより達成される。本発明の有利な発展形は従属項に記載されている。
【０００６】
本発明は、同軸コネクタを構成する内部導体、外部導体及び誘電体が圧縮可能であるという技術思想に基づいている。このようにして、２枚の印刷回路基板間の距離を、柔軟な設計にすることができ、特に実質的に減少することができる。取付け後、圧縮状態はまた、特に堅牢で振動に抗する電気接続を確保する。さらに、本発明に従った同軸コネクタは、特に良好な熱膨張性を有する。
【０００７】
本発明に従った有利な実施形態によれば、好適にはエラストマである弾性材料からなる内部導体、外部導体及び誘電体は、圧縮可能な同軸コネクタの製造を特に容易にすることができる。さらに、内部導体及び外部導体が導電性エラストマ製であり、誘電体が絶縁エラストマ製である場合、内部導体及び外部導体が良好な導電性を有する同軸コネクタを形成することができる。このため、同軸コネクタ並びに第１及び第２の印刷回路基板間が弾性的に接触する。
【０００８】
内部導体、外部導体及び誘電体が、内部導体から絶縁された少なくとも１個の外部導体層（外層）を有する、好適にはエラストマ製の一体の弾性ブロックとして設けられる場合、特に小さな寸法を有する同軸コネクタを製造することができる。この同軸コネクタの構成要素の数を減少することが可能であるので、このコネクタの製造を簡素化することが可能である。
【０００９】
一体の弾性ブロックがほぼ立方体であって、一体の弾性ブロックの２側面に配置された少なくとも２枚の導電板を具備し、これら少なくとも２枚の導電板が組立状態で第１印刷回路基板を第２印刷回路基板に接続する場合、外部導体を介して２枚の印刷回路基板間を電気接続することが容易にできる。
【００１０】
少なくとも２枚の導電板間に誘電体を配置し、内部導体が誘電体を貫通し、組立状態で第１印刷回路基板を第２印刷回路基板に接続すると、特に利点がある。このように、外部導体による２枚の印刷回路基板間の電気接続は、内部導体による２枚の印刷回路基板間の電気接続から分離されている。
【００１１】
同軸コネクタが一体の弾性ブロックを取り囲み且つ接続する中空導体を具備する場合、一体の弾性ブロックは、第１印刷回路基板上に配置できると共に第１印刷回路基板に固定することができる。
【００１２】
さらに、中空導体は第１印刷回路基板に半田付けされるよう構成されるので、固定コンタクトが第１印刷回路基板及び同軸コネクタの間にあることを保証される。同軸コネクタに中空導体を設けることは、一体の弾性ブロックが弾性材料、好適には半田付けされる材料でないエラストマである場合、特に利点がある。
【００１３】
同軸コネクタの有利な一実施形態によれば、中空導体は、一体の弾性ブロックを導入するための円錐状内面を有する。このため、この一体の弾性ブロックは、好適には圧入で中空導体内に容易に導入することができる。
【００１４】
中空導体が第２印刷回路基板上に実装されたスリーブに接続される場合、特に中空導体が、スリーブ上に配置された少なくとも１個のラッチ突起にロックされる少なくとも１個のラッチ凹部を有する場合、第２印刷回路基板は、第１印刷回路基板に対して正確に配置することができる。
【００１５】
さらに、中空導体がケーブルプラグに接続される場合、特に中空導体が、ケーブルプラグ上に配置された少なくとも１個のラッチ突起にロックされる少なくとも１個の保持凹部を有する場合、ケーブルプラグを介して第１印刷回路基板に計測デバイスを容易に接続することができる。
【発明を実施するための最良の形態】
【００１６】
以下、添付図面に図示された実施形態を参照して、本発明を詳細に説明する。本発明に従った同軸コネクタの類似又は対応する詳細には、同じ参照番号が付与されている。
【００１７】
第１印刷回路基板１を第２印刷回路基板２に接続するための本発明による同軸コネクタ１００は、図１に見ることができるように、好適にはエラストマからなる一体の弾性ブロック２０を有する。２枚の導電板４ａ，４ｂが、一体の弾性ブロック２０の２側面に配置されている。これら２枚の導電板４ａ，４ｂは、好適には導電性エラストマから構成されるので、圧縮可能であり、また導電性を有する。同軸コネクタ１００の組立状態において、２枚の導電板４ａ，４ｂは、第１印刷回路基板１を第２印刷回路基板２に電気的に接続する。２枚の導電板４ａ，４ｂは、本発明に従った同軸コネクタ１００の外部導体として作用し、圧縮可能な外部導体４ａ，４ｂを形成する。
【００１８】
好適にはエラストマである弾性材料からなる誘電体５は、２枚の導電板４ａ，４ｂ間に設けられる。この誘電体５は、好適には導電性エラストマからなる２枚の導電板４ａ，４ｂとは異なり、絶縁エラストマからなる。導電性エラストマからなる内部導体３は、一体の弾性ブロック２０の一横面から反対側の横面まで誘電体５を貫通する。内部導体３の縦軸は、２枚の導電板４ａ，４ｂの面とほぼ平行に延びる。
【００１９】
同軸コネクタ１００はまた、第１印刷回路基板１上に半田付け可能な中空導体６を具備する。この中空導体６はほぼ環状であり、円錐状内面を有する。第１印刷回路基板１に対面する中空導体６の下側に設けられるのは、第１印刷回路基板１上に半田付けできる半田付け足１０である。しかし、中空導体６及び第１印刷回路基板１間の接続部の他の構成も可能である。特に、中空導体６はまた、半田付けされる前に、第１印刷回路基板１の対応する開口内に導入されるよう構成された位置決め足を有してもよい。
【００２０】
図１及び図２に示される中空導体６は本発明の好適な一実施形態では環状として図示されているが、例えば立方体の構成等の他の構成ももちろん可能である。また、中空導体６は半田付け足を有しなくてもよく、第１印刷回路基板１上に直接半田付けされてもよい。
【００２１】
一体の弾性ブロック２０は、中空導体６に導入可能な立方体の弾性ブロックの形態で設けられる。このブロック２０は中空導体６内に配置されるので、同軸コネクタ１００が組立状態にあるとき、内部導体１が第１印刷回路基板１を第２印刷回路基板２に電気的に接続する。
【００２２】
本発明の好適な一実施形態では、一体の弾性ブロック２０は例えばシリコーン等のエラストマ製として説明されているが、このブロック２０は、弾性ブロックの製造を可能にするばね等の異なる弾性材料製とすることももちろん可能であるので、圧縮可能な同軸コネクタが形成される。
【００２３】
また、弾性ブロック２０は、ほぼ立方体ブロックの形態のみならず、例えば筒又はボールの形態で製造することも可能である。一体の弾性ブロックは球面に構成されると、内部導体から絶縁された外層が設けられ、球面ブロックの対向する２側面上又は球面ブロックの全周囲に配置される。
【００２４】
一体の弾性ブロック２０が立方体になるよう構成されると、２枚の導電板がブロックの２側面に配置されるのみならず、例えば４枚の導電板がブロックの連続する４側面に設けることが可能であるので、弾性ブロックは、さらに内部導体から絶縁された導電性外層を全周囲に有する。
【００２５】
本発明に従った同軸コネクタ１００の中空導体６は、中空導体６の全周囲に延びるラッチ凹部８を有する。ラッチ凹部８は、第２印刷回路基板２に実装されたスリーブ７に配置されたラッチ突起９とロックすることができる。スリーブ７は、第２印刷回路基板２に半田付けされる半田付け足１１を有する中空導体の形態で設けられるのが好適である。第２印刷回路基板２のスリーブ７は、第２印刷回路基板２を第１印刷回路基板１に正確に接続するために、位置決め補助として作用する。
【００２６】
中空導体６のラッチ凹部８は中空導体６の全周囲に延びるものとして説明されているが、ラッチ凹部は、周囲の一部に延びるか、中空導体の周囲の特定位置に配置することももちろん可能である。複数のラッチ凹部はまた、第２印刷回路基板上に組み立てられたスリーブの対応するラッチ突起とロックすることができる中空導体に設けられてもよい。
【００２７】
第２印刷回路基板２上に設けられ、本発明に従った同軸コネクタ１００の中空導体６にロック可能なスリーブ７は、位置決め補助として作用するが、２枚の印刷回路基板１，２を機械的及び電気的に接続するために必要ではない。
【００２８】
中空導体６のラッチ凹部はまた、外部ケーブルプラグのラッチ突起とロックすることができる。ラッチ凹部は、計測デバイスに接続され且つ試験目的のために本発明に従った同軸コネクタに接続される外部試験同軸コネクタ用の固定要素として作用する。
【００２９】
図２は、本発明に従った同軸コネクタ１００の一部を示す。図３は、本発明に従った一体の弾性ブロック２０の斜視図であり、一体の弾性ブロック２０が立方体構成であることを示す。
【００３０】
次に、第１印刷回路基板１への本発明に従った同軸コネクタ１００の組立、及び第１印刷回路基板１及び第２印刷回路基板２の相互接続を、以下に詳細に説明する。
【００３１】
最初に、一体の弾性ブロック２０を中空導体６内に導入する。このようにする際に、中空導体６の円錐状内面が、中空導体６内への弾性ブロック２０の導入を補助する。弾性ブロック２０を圧入することにより、ブロック２０の外面が中空導体６の円錐状内面の一端で変形する。この結果、弾性ブロック２０の外面は、中空導体６の内面の形状に適合する。図１ないし図３は、一体の弾性ブロック２０の外面のこの変形を示していない。
【００３２】
一体の弾性ブロック２０が中空導体６内に一旦導入されると、次に、本発明に従った同軸コネクタ１００の中空導体６が第１印刷回路基板１上に組み立てられる。中空導体６の半田付け足１０は、第１印刷回路基板１上に半田付けされるのが好適である。次に、好適にはスリーブ７を有する第２印刷回路基板２が、一体の弾性ブロック２０の中空導体６から突出する上面に押圧される。このようにして、弾性ブロック２０は、内部導体３及び２枚の導電板４ａ，４ｂが第１印刷回路基板１を第２印刷回路基板２に接続するまで、中空導体６内にさらに押圧される。こうして、２枚の回路基板１，２が機械的及び電気的に接続される。この工程の際、第２印刷回路基板２に設けられたスリーブ７は、第２印刷回路基板２を第１印刷回路基板１に正確に接続する補助となる。
【００３３】
本発明に従った同軸コネクタは、本発明に従った同軸コネクタの内部導体、外部導体及び誘電体が圧縮可能に構成されるので、互いに極めて小さい間隔にある電子デバイスの２枚の印刷回路基板を電気接続することを可能にする。さらに、本発明に従った同軸コネクタにより２枚の印刷回路基板が相互接続される携帯電子デバイスは、特定の空間節約設計という利点を有するのみならず、２枚の印刷回路基板間の柔軟性のある接続のため、特に衝撃に抗するという利点を有する。また、この接続は、特に良好な熱的拡張性をも有する。
【図面の簡単な説明】
【００３４】
【図１】本発明による同軸コネクタの断面図である。
【図２】本発明による同軸コネクタを部分断面した斜視図である。
【図３】本発明による弾性ブロックの斜視図である。
【符号の説明】
【００３５】
１          第１印刷回路基板
２          第２印刷回路基板
３          内部導体
４ａ，４ｂ  外部導体
５          誘電体
６          中空ブロック
７          スリーブ
８          ラッチ凹部
９          ラッチ突起
２０        一体の弾性ブロック
１００      同軸コネクタ
【図１】
2009502014.tif 000003
【図２】
2009502014.tif 000004
【図３】
2009502014.tif 000005
【国際調査報告】
2009502014.tif 000006
2009502014.tif 000007
2009502014.tif 000008